(57)【要約】  進化型マルチメディアブロードキャストマルチキャストサービス（ＥＭＢＭＳ）アクセスゲートウェイが、マルチメディアブロードキャストマルチキャストサービスのセッション開始メッセージを受信した後に応答メッセージを返信する受信／応答装置と、マルチメディアブロードキャストマルチキャストサービスが働く領域のそれぞれとｅＮＢのそれぞれとの間のマッピング関係を格納するために使用される格納装置と、受信／応答装置がマルチメディアブロードキャストマルチキャストサービスのセッション開始メッセージを受信した後に格納されたマッピング関係に基づいてマルチメディアブロードキャストマルチキャストサービスに関連したｅＮＢを決定するために使用される決定装置と、決定されたｅＮＢにマルチメディアブロードキャストマルチキャストサービスのセッション開始メッセージを送信するために使用される送信装置とを含む。
2010502055.tif 000002
【特許請求の範囲】
【請求項１】
ネットワークマルチキャストをサポートする進化型マルチメディアブロードキャスト／マルチキャストサービス（ＥＭＢＭＳ）アクセスゲートウェイであって、
ブロードキャスト／マルチキャストサービスセンタ（ＢＭ−ＳＣ）からマルチメディアブロードキャスト／マルチキャストサービス（ＭＢＭＳ）セッション開始メッセージを受信し、ＭＢＭＳセッション開始メッセージを受信した後に応答メッセージをＢＭ−ＳＣに返信するための受信／応答手段と、
各ＭＢＭＳサービス領域（ＳＡ）と各基地局との間のマッピング関係を格納するための格納手段と、
受信／応答手段がＭＢＭＳセッション開始メッセージを受信するとき、格納されたマッピング関係に基づいてＭＢＭＳに関連した１つまたは複数の基地局を決定するための決定手段と、
１つまたは複数の決定された基地局にＭＢＭＳセッション開始メッセージを送信するための送信手段と
を備える、アクセスゲートウェイ。
【請求項２】
マルチメディアブロードキャスト／マルチキャストサービスに関連した１つまたは複数の基地局が、マルチメディアブロードキャスト／マルチキャストサービスのＳＡに属する少なくとも１つのセルを有する基地局を含んでいる、請求項１に記載のアクセスゲートウェイ。
【請求項３】
送信手段によって送信されるＭＢＭＳセッション開始メッセージが、サービスＩＤ、サービスの種類、ＳＡ、およびアイドル状態にあり、ＭＢＭＳに加入している１つまたは複数のユーザ装置（ＵＥ）をホストするトラッキング領域（ＴＡ）のリストを含む、請求項１または２に記載のアクセスゲートウェイ。
【請求項４】
送信手段によって送信されるＭＢＭＳセッション開始メッセージが専用キャリアＩＤをさらに含む、請求項３に記載のアクセスゲートウェイ。
【請求項５】
サービスの種類がブロードキャストおよびマルチキャストを含む、請求項３に記載のアクセスゲートウェイ。
【請求項６】
決定手段が、アイドル状態にあり、ＭＢＭＳに加入しているＵＥが位置するＴＡが変更されるとき、変更に関連した１つまたは複数の基地局を決定するようにさらに構成されており、送信手段が１つまたは複数の決定された基地局にＭＢＭＳセッション更新メッセージを送信するようにさらに構成されている、請求項１に記載のアクセスゲートウェイ。
【請求項７】
変更に関連した１つまたは複数の基地局が、ＵＥが加入しているＭＢＭＳのＳＡに属する少なくとも１つのセルを有する基地局を含んでいる、請求項６に記載のアクセスゲートウェイ。
【請求項８】
変更に関連した１つまたは複数の基地局が、ＵＥが移動するＴＡに属する少なくとも１つのセルを有する基地局を含んでいる、請求項６に記載のアクセスゲートウェイ。
【請求項９】
変更に関連した１つまたは複数の基地局が、ＵＥが離脱するＴＡに属する少なくとも１つのセルを有する基地局、またはＵＥが移動するＴＡに属する少なくとも１つのセルを有する基地局を含んでいる、請求項８に記載のアクセスゲートウェイ。
【請求項１０】
ネットワークマルチキャストをサポートする進化型マルチメディアブロードキャスト／マルチキャストサービス（ＥＭＢＭＳ）アクセスゲートウェイを動作する方法であって、
ブロードキャスト／マルチキャストサービスセンタ（ＢＭ−ＳＣ）からマルチメディアブロードキャスト／マルチキャストサービスに対するマルチメディアブロードキャスト／マルチキャストサービス（ＭＢＭＳ）セッション開始メッセージを受信するステップと、
ＭＢＭＳセッション開始メッセージを受信した後に応答メッセージをＢＭ−ＳＣに返信するステップと、
各ＭＢＭＳサービス領域（ＳＡ）と各基地局との間の格納されたマッピング関係に基づいてマルチメディアブロードキャスト／マルチキャストサービスに関連した１つまたは複数の基地局を決定するステップと、
１つまたは複数の決定された基地局にＭＢＭＳセッション開始メッセージを送信するステップと
を備える、方法。
【請求項１１】
マルチメディアブロードキャスト／マルチキャストサービスに関連した１つまたは複数の基地局が、マルチメディアブロードキャスト／マルチキャストサービスのＳＡに属する少なくとも１つのセルを有する基地局を含んでいる、請求項１０に記載の方法。
【請求項１２】
アクセスゲートウェイによって送信されるＭＢＭＳセッション開始メッセージが、サービスＩＤ、サービスの種類、ＳＡ、およびアイドル状態にあり、ＭＢＭＳに加入している１つまたは複数のユーザ装置（ＵＥ）をホストするトラッキング領域（ＴＡ）のリストを含む、請求項１０または１１に記載の方法。
【請求項１３】
アクセスゲートウェイによって送信されるＭＢＭＳセッション開始メッセージが専用キャリアＩＤをさらに含む、請求項１２に記載の方法。
【請求項１４】
サービスの種類がブロードキャストおよびマルチキャストを含む、請求項１２に記載の方法。
【請求項１５】
アイドル状態にあり、ＭＢＭＳに加入しているＵＥが位置するＴＡが変更されるとき、変更に関連した１つまたは複数の基地局を決定することと、
１つまたは複数の決定された基地局にＭＢＭＳセッション更新メッセージを送信することと
をさらに備える、請求項１０に記載の方法。
【請求項１６】
変更に関連した１つまたは複数の基地局が、ＵＥが加入しているＭＢＭＳのＳＡに属する少なくとも１つのセルを有する基地局を含んでいる、請求項１５に記載の方法。
【請求項１７】
変更に関連した１つまたは複数の基地局が、ＵＥが移動するＴＡ内の少なくとも１つのセルに属する１つまたは複数の基地局を含んでいる、請求項１５に記載の方法。
【請求項１８】
変更に関連した１つまたは複数の基地局が、ＵＥが離脱するＴＡに属する少なくとも１つのセルを有する基地局、またはＵＥが移動するＴＡに属する少なくとも１つのセルを有する基地局を含んでいる、請求項１７に記載の方法。
【請求項１９】
ネットワークマルチキャストをサポートする進化型マルチメディアブロードキャスト／マルチキャストサービス（ＥＭＢＭＳ）アクセスゲートウェイであって、
ルーティング表を格納するための格納手段と、
ブロードキャスト／マルチキャストサービスセンタ（ＢＭ−ＳＣ）からデータを受信し、受信したデータをインターネットプロトコル（ＩＰ）マルチキャストパケットに戻すように変換するための受信手段と、
ＩＰマルチキャストパケットをＰＤＣＰパケットにパッケージングするためのパケットデータコンバージェンスプロトコル（ＰＤＣＰ）パケット処理手段と、
変換されたＩＰマルチキャストパケットからＩＰマルチキャストアドレスを抽出し、ＩＰマルチキャストアドレスとして抽出されたＩＰマルチキャストアドレスを用いてパッケージングされたＰＤＣＰパケットをＩＰマルチキャストパケットに再パッケージングし、抽出されたＩＰマルチキャストアドレスおよび格納されたルーティング表に基づいて再パッケージングされたＩＰマルチキャストパケットを受信する１つまたは複数の基地局を決定するためのＩＰマルチキャストパケット処理手段と、
それぞれ各基地局に関連して、１つまたは複数の対応するトランスポートプロトコルに基づいて再パッケージングされたＩＰマルチキャストパケットを処理するための１つまたは複数のトランスポートプロトコル処理手段と、
それぞれ各基地局に関連して、１つまたは複数の対応するトランスポートプロトコルに基づいて処理されたパケットを１つまたは複数の決定された基地局に送信するための１つまたは複数の送信手段と
を備える、アクセスゲートウェイ。
【請求項２０】
ネットワークマルチキャストをサポートする進化型マルチメディアブロードキャスト／マルチキャストサービス（ＥＭＢＭＳ）アクセスゲートウェイを動作する方法であって、
ブロードキャスト／マルチキャストサービスセンタ（ＢＭ−ＳＣ）からデータを受信し、受信したデータをインターネットプロトコル（ＩＰ）マルチキャストパケットに戻すように変換するステップと、
変換されたＩＰマルチキャストパケットからＩＰマルチキャストアドレスを抽出するステップと、
受信したＩＰマルチキャストパケットをパケットデータコンバージェンスプロトコル（ＰＤＣＰ）パケットにパッケージングするステップと、
ＩＰマルチキャストアドレスとして抽出されたＩＰマルチキャストアドレスを用いてＰＤＣＰパケットをＩＰマルチキャストパケットに再パッケージングするステップと、
抽出されたＩＰマルチキャストアドレスおよび格納されたルーティング表に基づいて再パッケージングされたＩＰマルチキャストパケットを受信する１つまたは複数の基地局を決定するステップと、
１つまたは複数の対応するトランスポートプロトコルに基づいて再パッケージングされたＩＰマルチキャストパケットを処理するステップと、
１つまたは複数の対応するトランスポートプロトコルに基づいて処理されたパケットを１つまたは複数の決定された基地局に送信するステップと
を備える、方法。
【請求項２１】
ネットワークマルチキャストをサポートする進化型マルチメディアブロードキャスト／マルチキャストサービス（ＥＭＢＭＳ）基地局であって、
アクセスゲートウェイ（ａＧＷ）からマルチメディアブロードキャスト／マルチキャストサービス（ＭＢＭＳ）セッション開始メッセージおよびＭＢＭＳセッション更新メッセージを受信し、応答メッセージをａＧＷに返信するための受信／応答手段と、
各ＭＢＭＳサービス領域（ＳＡ）と基地局によって管理される各セルとの間のマッピング関係を格納するための格納手段と、
所望のセル内で通知手順を開始し、通知手順の結果を返信するための通知手順処理手段と、
各セルに様々な情報およびデータを送信するための送信手段と、
基地局の動作を制御し、受信したＭＢＭＳセッション開始メッセージまたはＭＢＭＳセッション更新メッセージおよび格納されたマッピング関係に基づいて管理されるセルのそれぞれの中で通知手順を開始するか否かを決定するための基地局コントローラと
を備える、基地局。
【請求項２２】
無線ベアラ（ＲＢ）を割り当て、状態情報集約手段にＲＢ構成情報を通知するための無線ベアラ割当手段と、
無線インターフェース上で送信されるべき状態情報およびＲＢ構成情報を集約するための状態情報集約手段と
をさらに備え、
基地局コントローラが、通知手順処理手段、ＲＢ割当手段および状態情報集約手段の動作を制御し、管理されるセルのそれぞれの中でＲＢ割当手順を開始するかどうか、受信したＭＢＭＳセッション開始メッセージまたはＭＢＭＳセッション更新メッセージおよび格納されたマッピング関係に基づいてマルチメディアブロードキャスト／マルチキャストサービスの状態情報を送信するかどうかを決定する、請求項２１に記載の基地局。
【請求項２３】
ＭＢＭＳセッション開始メッセージが、サービスＩＤ、サービスの種類、ＳＡ、およびアイドル状態にあり、ＭＢＭＳに加入している１つまたは複数のユーザ装置（ＵＥ）をホストするトラッキング領域（ＴＡ）のリストを含む、請求項２１に記載の基地局。
【請求項２４】
ＭＢＭＳセッション開始メッセージが専用キャリアＩＤをさらに含む、請求項２３に記載の基地局。
【請求項２５】
サービスの種類がブロードキャストおよびマルチキャストを含む、請求項２３に記載の基地局。
【請求項２６】
ＲＢ割当手段に接続されて、ＲＢが割り当てられた後に基地局が現在のＭＢＭＳのＩＰマルチキャストグループに加入しているかどうかを決定し、基地局がグループに加入していない場合にＩＰマルチキャストグループに加入することをａＧＷに申し込むためのインターネットプロトコル（ＩＰ）マルチキャストグループ処理手段
をさらに備える、請求項２２に記載の基地局。
【請求項２７】
基地局コントローラが、通知手順の結果に基づいてセルのそれぞれにＲＢを割り当てるかどうかを決定する、請求項２２に記載の基地局。
【請求項２８】
ネットワークマルチキャストをサポートする進化型マルチメディアブロードキャスト／マルチキャストサービス（ＥＭＢＭＳ）基地局を動作する方法であって、
アクセスゲートウェイ（ａＧＷ）からマルチメディアブロードキャスト／マルチキャストサービス（ＭＢＭＳ）セッション開始メッセージおよびＭＢＭＳセッション更新メッセージを受信し、応答メッセージをａＧＷに返信するステップと、
基地局によって管理されるセルのそれぞれに対して、受信したＭＢＭＳセッション開始メッセージおよびＭＢＭＳセッション更新メッセージならびに格納されたマッピング関係に基づいて下記の動作、すなわち
このセル内で通知手順を開始することが必要かどうかを決定し、必要である場合に通知手順を開始し、通知手順の結果を待つことと、
このセルに無線ベアラ（ＲＢ）を割り当てることが必要かどうかを決定することと、
必要である場合にこのセルにＲＢを割り当て、ユーザ装置（ＵＥ）にＲＢ構成情報を通知することと、
このセルにＲＢを割り当てることが必要でない場合にマルチメディアブロードキャスト／マルチキャストサービスの状態情報を送信することが必要かどうかを決定し、必要である場合には状態情報を送信することと
を実行するステップと
を備える、方法。
【請求項２９】
ＭＢＭＳセッション開始メッセージが、サービスＩＤ、サービスの種類、ＳＡ、およびアイドル状態にあり、ＭＢＭＳに加入している１つまたは複数のユーザ装置（ＵＥ）をホストするトラッキング領域（ＴＡ）のリストを含む、請求項２８に記載の方法。
【請求項３０】
ＭＢＭＳセッション開始メッセージが専用キャリアＩＤをさらに含む、請求項２９に記載の方法。
【請求項３１】
サービスの種類がブロードキャストおよびマルチキャストを含む、請求項２９に記載の方法。
【請求項３２】
ＲＢが割り当てられた後、基地局が現在のＭＢＭＳのＩＰマルチキャストグループに加入しているかどうかを決定し、基地局がグループに加入していない場合にＩＰマルチキャストグループに加入することをａＧＷに申し込むこと
をさらに備える、請求項２８に記載の方法。
【請求項３３】
セルのそれぞれにＲＢを割り当てることが必要かどうかが通知手順の結果に基づいて決定される、請求項２８に記載の方法。
【請求項３４】
ネットワークマルチキャストをサポートする進化型マルチメディアブロードキャスト／マルチキャストサービス（ＥＭＢＭＳ）基地局であって、
アクセスゲートウェイ（ａＧＷ）からマルチメディアブロードキャスト／マルチキャストサービス（ＭＢＭＳ）データを受信するための受信手段と、
各ＭＢＭＳサービス領域（ＳＡ）と基地局によって管理される各セルとの間のマッピング関係を格納するための格納手段と、
ＩＰマルチキャストパケットを受信し、ＩＰマルチキャストパケットの内容を抽出し、格納されたマッピング関係に基づいてＩＰマルチキャストパケットの内容を受信する１つまたは複数のセルを決定するためのインターネットプロトコル（ＩＰ）マルチキャストパケット処理手段と、
基地局によって管理される各セルに関連して、ＩＰマルチキャストパケット処理手段からのデータに無線インターフェースプロトコル処理を実行し、処理されたデータを送信手段に供給するための無線インターフェースプロトコル処理手段と、
各セルに様々な情報およびデータを送信するための送信手段と、
格納手段およびＩＰマルチキャストパケット処理手段を制御し、受信手段によって受信されたＩＰマルチキャストパケットをＩＰマルチキャストパケット処理手段に供給するための基地局コントローラと
を備える、基地局。
【請求項３５】
無線インターフェースプロトコル処理が、無線リンク層処理、メディアアクセス制御層処理、および物理層処理のうちのいずれか１つ、またはその任意の組合せを備える、請求項３４に記載の基地局。
【請求項３６】
ネットワークマルチキャストをサポートする進化型マルチメディアブロードキャスト／マルチキャストサービス（ＥＭＢＭＳ）基地局を動作する方法であって、
アクセスゲートウェイ（ａＧＷ）からマルチメディアブロードキャスト／マルチキャストサービス（ＭＢＭＳ）サービスデータを受信するステップと、
インターネットプロトコル（ＩＰ）マルチキャストパケットを受信し、ＩＰマルチキャストパケットの内容を抽出するステップと、
各ＭＢＭＳサービス領域（ＳＡ）と基地局によって管理される各セルとの間の格納されたマッピング関係に基づいてＩＰマルチキャストパケットの内容を受信する１つまたは複数のセルを決定するステップと、
ＩＰマルチキャストパケットの内容に無線インターフェースプロトコル処理を実行するステップと、
処理されたデータを１つまたは複数の決定されたセルに送信するステップと
を備える、方法。
【請求項３７】
無線インターフェースプロトコル処理が、無線リンク層処理、メディアアクセス制御層処理、および物理層処理のうちのいずれか１つ、またはその任意の組合せを備える、請求項３６に記載の方法。
【発明の詳細な説明】
【技術分野】
【０００１】
本発明は、モバイル通信分野、特に３Ｇモバイル通信分野のシステムアーキテクチャエボリューション／ロングタームエボリューション（ＳＡＥ／ＬＴＥ）に関し、より具体的にはインターネットプロトコル（ＩＰ）マルチキャストをサポートする進化型マルチメディアブロードキャスト／マルチキャストサービス（ＥＭＢＭＳ）アクセスゲートウェイ、基地局、およびその方法に関する。
【背景技術】
【０００２】
ＳＡＥ／ＬＴＥに基づいた現在のネットワークアーキテクチャは、進化前のネットワークアーキテクチャより平坦である。一方では、無線アクセスネットワーク部の２ノードアーキテクチャ（基地局ノードＢ＋無線ネットワーク制御装置ＲＮＣ）が、１ノードアーキテクチャ（基地局ｅＮｏｄｅＢ、以下では略して「ｅＮＢ」）に簡略化される。他方では、網状の接続が導入される。つまり、１つのｅＮＢはＳ１インターフェースを介して複数のアクセスゲートウェイ（ａＧＷ）に接続されることができ、１つのｅＮＢはＸ２インターフェースを介して複数の隣接するｅＮＢに接続されることができる。この種の接続は、物理的または論理的であってよい。論理的に接続される場合、２つのｅＮＢはａＧＷを介して物理的に接続されることができる。ＳＡＥ／ＬＴＥのアーキテクチャが図１に示される。
【０００３】
具体的には図１を参照すると、２つのアクセスゲートウェイａＧＷ１およびａＧＷ２が、それぞれＳ１インターフェースを介して３つの基地局ｅＮＢ１、ｅＮＢ２およびｅＮＢ３に接続され、３つの基地局ｅＮＢ１、ｅＮＢ２およびｅＮＢ３はＸ２インターフェースを介して互いに接続される。図１は、各ノード間に物理的接続がある状態を示す。ｅＮＢ１とｅＮＢ３との間にＸ２インターフェース接続がない場合、ｅＮＢ１はａＧＷ１またはａＧＷ２を介してｅＮＢ３に接続されることができ、それによってｅＮＢ１とｅＮＢ３との間に論理的接続があるようになる。
【０００４】
ＳＡＥ／ＬＴＥに関する仕様書は３ＧＰＰ  Ｒｅ１７の時点から定義されている。ＳＡＥ／ＬＴＥのアーキテクチャでは、ＭＢＭＳはＥＭＢＭＳ（進化型ＭＢＭＳ）と呼ばれる。この種の平坦なアーキテクチャは、マルチメディアブロードキャスト／マルチキャストサービス（ＭＢＭＳ）データの効率的な伝送に対する新しい課題（ｅＮＢとａＧＷの接続でＲｅ１７版の前のＧＴＰプロトコル（ＧＰＲＳトンネリングプロトコル）を使用し続けるべきか、それとも他の技術を導入するべきか）をもたらす。３ＧＰＰに関する現在の議論では、ＩＰマルチキャストをブロードキャスト／マルチキャストサービスのアーキテクチャに導入することが提案されている。しかし、現在の仕様書ではユーザプレーン上でｅＮＢとａＧＷを接続する方法は定義されていない。つまり、３ＧＰＰはＳ１インターフェース上のプロトコルアーキテクチャを定義していない。本発明ではＳ１インターフェース上のプロトコルアーキテクチャが提供され、さらにＭＢＭＳ制御情報を送信する方法が説明され、それによってＩＰマルチキャストをサポートするＥＭＢＭＳアクセスゲートウェイ、基地局およびその方法が提供される。
【０００５】
２００６年５月のＲＡＮ３の第５２回会議にてＮｏｋｉａおよびＶｏｄａｆｏｎｅによって提案された文書（Ｒ３−０６０６５２  ＭＢＭＳ  ａｓｐｅｃｔｓ  ｉｎ  ＳＡＥ／ＬＴＥ  ｗｏｒｋ、Ｎｏｋｉａ、Ｒ３−０６０６９４  Ｓｕｐｐｏｒｔ  ｏｆ  ＭＢＭＳ  ｉｎ  Ｅ−ＵＴＲＡＮ）は、それらが、Ｓ１インターフェース上でＥＭＢＭＳ制御情報を送信する方法に関するいくつかの簡単な解析と共にＩＰマルチキャストをＥＭＢＭＳに導入することに賛成することを示す。マルチキャストサービスの場合、Ｎｏｋｉａは、サービス領域（以下では略して「ＳＡ」）内に含まれ、関心のあるユーザをホストするトラッキング領域（以下では「ＴＡ」）内にも含まれるｅＮＢにＭＢＭＳセッション開始メッセージを送信することを提案する。Ｖｏｄａｆｏｎｅは、関心のあるユーザをホストするＴＡ内に含まれるｅＮＢにＭＢＭＳセッション開始メッセージを送信することを提案する。さらに、ブロードキャストサービスの場合、ＮｏｋｉａおよびＶｏｄａｆｏｎｅの両方が、ＭＢＭＳセッション開始メッセージがＳＡ内に含まれるｅＮＢに送信されるべきであることを留保する。
【０００６】
しかし、上記の２つの文書は、ＩＰマルチキャストが、プロトコルスタックアーキテクチャおよび動作に関する何らかの説明を行うことなくＥＭＢＭＳに導入されることができることだけを提案した。したがって、ＩＰマルチキャストにサービスデータの伝送での役割を果たさせる方法がまだ不明である。
【０００７】
したがって、ＩＰマルチキャストをサポートするＥＭＢＭＳアクセスゲートウェイ、基地局およびその方法を求める要求があり、それからＳＡＥ／ＬＴＥのフレームワーク下でＩＰマルチキャストを用いてＥＭＢＭＳサービスデータを送信する方法が知られることができ、それによってａＧＷからのＭＢＭＳサービスデータがｅＮＢに、より効率的に到達するようになる。
【０００８】
上記の２つの文書は、ＥＭＢＭＳに関する流れ設計方式を与えるが、技術面でいくつかの問題を有する。例えば、マルチキャストサービスの場合、ａＧＷが、ＭＢＭＳセッション開始メッセージが送信されるｅＮＢを選択するとき、ＭＢＭＳセッション開始メッセージの受信を真に必要とするいくつかのｅＮＢがこの種のＭＢＭＳセッション開始メッセージを実際に受信しないという問題がありうる。
【０００９】
したがって、一方では、ｅＮＢがａＧＷから十分な情報を得ることができ、他方では様々な可能な状態でｅＮＢの機能的実装形態および流れ設計を容易にするＩＰマルチキャストをサポートするＥＭＢＭＳアクセスゲートウェイ、基地局およびその方法を求める要求がある。
【先行技術文献】
【非特許文献】
【００１０】
【非特許文献１】Ｒ３−０６０６５２  ＭＢＭＳ  ａｓｐｅｃｔｓ  ｉｎ  ＳＡＥ／ＬＴＥ  ｗｏｒｋ、Ｎｏｋｉａ
【非特許文献２】Ｒ３−０６０６９４  Ｓｕｐｐｏｒｔ  ｏｆ  ＭＢＭＳ  ｉｎ  Ｅ−ＵＴＲＡＮ
【発明の概要】
【発明が解決しようとする課題】
【００１１】
アクセスゲートウェイからのＭＢＭＳサービスデータがｅＮＢに、より効率的に到達することができるように、十分な情報を得られることができるＩＰマルチキャストをサポートするＥＭＢＭＳアクセスゲートウェイを提供することが本発明の１つの目的である。本発明は、対応する基地局ならびにＩＰマルチキャストに関してＥＭＢＭＳアクセスゲートウェイおよび基地局を動作する方法も提供する。
【課題を解決するための手段】
【００１２】
本発明の１つの態様によれば、ネットワークマルチキャストをサポートする進化型マルチメディアブロードキャスト／マルチキャストサービス（ＥＭＢＭＳ）アクセスゲートウェイが提供され、それは、ブロードキャスト／マルチキャストサービスセンタ（ＢＭ−ＳＣ）からマルチメディアブロードキャスト／マルチキャストサービス（ＭＢＭＳ）セッション開始メッセージを受信し、ＭＢＭＳセッション開始メッセージを受信した後に応答メッセージをＢＭ−ＳＣに返信するための受信／応答手段と、各ＭＢＭＳサービス領域（ＳＡ）と各基地局との間のマッピング関係を格納するための格納手段と、受信／応答手段がＭＢＭＳセッション開始メッセージを受信するとき、格納されたマッピング関係に基づいてＭＢＭＳに関連した１つまたは複数の基地局を決定するための決定手段と、１つまたは複数の決定された基地局にＭＢＭＳセッション開始メッセージを送信するための送信手段とを備える。
【００１３】
本発明の他の態様によれば、ネットワークマルチキャストをサポートする進化型マルチメディアブロードキャスト／マルチキャストサービス（ＥＭＢＭＳ）アクセスゲートウェイを動作する方法が提供され、それは、ブロードキャスト／マルチキャストサービスセンタ（ＢＭ−ＳＣ）からマルチメディアブロードキャスト／マルチキャストサービスに対するマルチメディアブロードキャスト／マルチキャストサービス（ＭＢＭＳ）セッション開始メッセージを受信するステップと、ＭＢＭＳセッション開始メッセージを受信した後に応答メッセージをＢＭ−ＳＣに返信するステップと、各ＭＢＭＳサービス領域（ＳＡ）と各基地局との間の格納されたマッピング関係に基づいてマルチメディアブロードキャスト／マルチキャストサービスに関連した１つまたは複数の基地局を決定するステップと、１つまたは複数の決定された基地局にＭＢＭＳセッション開始メッセージを送信するステップとを備える。
【００１４】
本発明の他の態様によれば、ネットワークマルチキャストをサポートする進化型マルチメディアブロードキャスト／マルチキャストサービス（ＥＭＢＭＳ）アクセスゲートウェイが提供され、それは、ルーティング表を格納するための格納手段と、ブロードキャスト／マルチキャストサービスセンタ（ＢＭ−ＳＣ）からデータを受信し、受信したデータをインターネットプロトコル（ＩＰ）マルチキャストパケットに戻すように変換するための受信手段と、ＩＰマルチキャストパケットをＰＤＣＰパケットにパッケージングするためのパケットデータコンバージェンスプロトコル（ＰＤＣＰ）パケット処理手段と、変換されたＩＰマルチキャストパケットからＩＰマルチキャストアドレスを抽出し、ＩＰマルチキャストアドレスとして抽出されたマルチキャストアドレスを用いてパッケージングされたＰＤＣＰパケットをＩＰマルチキャストパケットに再パッケージングし、抽出されたＩＰマルチキャストアドレスおよび格納されたルーティング表に基づいて再パッケージングされたＩＰマルチキャストパケットを受信する１つまたは複数の基地局を決定するためのＩＰマルチキャストパケット処理手段と、それぞれ各基地局に関連して、１つまたは複数の対応するトランスポートプロトコルに基づいて再パッケージングされたＩＰマルチキャストパケットを処理するための１つまたは複数のトランスポートプロトコル処理手段と、それぞれ各基地局に関連して、１つまたは複数の対応するトランスポートプロトコルに基づいて処理されたパケットを１つまたは複数の決定された基地局に送信するための１つまたは複数の送信手段とを備える。
【００１５】
本発明の他の態様によれば、ネットワークマルチキャストをサポートする進化型マルチメディアブロードキャスト／マルチキャストサービス（ＥＭＢＭＳ）アクセスゲートウェイを動作する方法が提供され、それは、ブロードキャスト／マルチキャストサービスセンタ（ＢＭ−ＳＣ）からデータを受信し、受信したデータをインターネットプロトコル（ＩＰ）マルチキャストパケットに戻すように変換するステップと、変換されたＩＰマルチキャストパケットからＩＰマルチキャストアドレスを抽出するステップと、受信したＩＰマルチキャストパケットをパケットデータコンバージェンスプロトコル（ＰＤＣＰ）パケットにパッケージングするステップと、ＩＰマルチキャストアドレスとして抽出されたＩＰマルチキャストアドレスを用いてＰＤＣＰパケットをＩＰマルチキャストパケットに再パッケージングするステップと、抽出されたＩＰマルチキャストアドレスおよび格納されたルーティング表に基づいて再パッケージングされたＩＰマルチキャストパケットを受信する１つまたは複数の基地局を決定するステップと、１つまたは複数の対応するトランスポートプロトコルに基づいて再パッケージングされたＩＰマルチキャストパケットを処理するステップと、１つまたは複数の対応するトランスポートプロトコルに基づいて処理されたパケットを１つまたは複数の決定された基地局に送信するステップとを備える。
【００１６】
本発明の他の態様によれば、ネットワークマルチキャストをサポートする進化型マルチメディアブロードキャスト／マルチキャストサービス（ＥＭＢＭＳ）基地局が提供され、それは、アクセスゲートウェイ（ａＧＷ）からマルチメディアブロードキャスト／マルチキャストサービス（ＭＢＭＳ）セッション開始メッセージおよびＭＢＭＳセッション更新メッセージを受信し、応答メッセージをａＧＷに返信するための受信／応答手段と、各ＭＢＭＳサービス領域（ＳＡ）と基地局によって管理される各セルとの間のマッピング関係を格納するための格納手段と、所望のセル内で通知手順を開始し、通知手順の結果を返信するための通知手順処理手段と、各セルに様々な情報およびデータを送信するための送信手段と、基地局の動作を制御し、受信したＭＢＭＳセッション開始メッセージまたはＭＢＭＳセッション更新メッセージおよび格納されたマッピング関係に基づいて管理されるセルのそれぞれの中で通知手順を開始するか否かを決定するための基地局コントローラとを備える。
【００１７】
本発明の他の態様によれば、ネットワークマルチキャストをサポートする進化型マルチメディアブロードキャスト／マルチキャストサービス（ＥＭＢＭＳ）基地局を動作する方法が提供され、それは、アクセスゲートウェイ（ａＧＷ）からマルチメディアブロードキャスト／マルチキャストサービス（ＭＢＭＳ）セッション開始メッセージおよびＭＢＭＳセッション更新メッセージを受信し、応答メッセージをａＧＷに返信するステップと、基地局によって管理されるセルのそれぞれに対して、受信したＭＢＭＳセッション開始メッセージおよびＭＢＭＳセッション更新メッセージならびに格納されたマッピング関係に基づいて以下の動作（このセル内で通知手順を開始することが必要かどうかを決定し、必要である場合に通知手順を開始し、通知手順の結果を待つことと、このセルに無線ベアラ（ＲＢ）を割り当てることが必要かどうかを決定することと、必要である場合にこのセルにＲＢを割り当て、ユーザ装置（ＵＥ）にＲＢ構成情報を通知することと、このセルにＲＢを割り当てることが必要でない場合にマルチメディアブロードキャスト／マルチキャストサービスの状態情報を送信することが必要かどうかを決定し、必要である場合には状態情報を送信すること）を実行するステップとを備える。
【００１８】
本発明の他の態様によれば、ネットワークマルチキャストをサポートする進化型マルチメディアブロードキャスト／マルチキャストサービス（ＥＭＢＭＳ）基地局が提供され、それは、アクセスゲートウェイ（ａＧＷ）からマルチメディアブロードキャスト／マルチキャストサービス（ＭＢＭＳ）データを受信するための受信手段と、各ＭＢＭＳサービス領域（ＳＡ）と基地局によって管理される各セルとの間のマッピング関係を格納するための格納手段と、ＩＰマルチキャストパケットを受信し、ＩＰマルチキャストパケットの内容を抽出し、格納されたマッピング関係に基づいてＩＰマルチキャストパケットの内容を受信する１つまたは複数のセルを決定するためのインターネットプロトコル（ＩＰ）マルチキャストパケット処理手段と、基地局によって管理される各セルに関連して、ＩＰマルチキャストパケット処理手段からのデータに無線インターフェースプロトコル処理を実行し、処理されたデータを送信手段に供給するための無線インターフェースプロトコル処理手段と、各セルに様々な情報およびデータを送信するための送信手段と、格納手段およびＩＰマルチキャストパケット処理手段を制御し、受信手段によって受信されたＩＰマルチキャストパケットをＩＰマルチキャストパケット処理手段に供給するための基地局コントローラとを備える。
【００１９】
本発明の他の態様によれば、ネットワークマルチキャストをサポートする進化型マルチメディアブロードキャスト／マルチキャストサービス（ＥＭＢＭＳ）基地局を動作する方法が提供され、それは、アクセスゲートウェイ（ａＧＷ）からマルチメディアブロードキャスト／マルチキャストサービス（ＭＢＭＳ）サービスデータを受信するステップと、インターネットプロトコル（ＩＰ）マルチキャストパケットを受信し、ＩＰマルチキャストパケットの内容を抽出するステップと、各ＭＢＭＳサービス領域（ＳＡ）と基地局によって管理される各セルとの間の格納されたマッピング関係に基づいてＩＰマルチキャストパケットの内容を受信する１つまたは複数のセルを決定するステップと、ＩＰマルチキャストパケットの内容に無線インターフェースプロトコル処理を実行するステップと、処理されたデータを１つまたは複数の決定されたセルに送信するステップとを備える。
【００２０】
本発明の好ましい実施形態が添付図面を参照して以下で詳細に説明される。
【図面の簡単な説明】
【００２１】
【図１】ＳＡＥ／ＬＴＥのネットワークアーキテクチャを示す概略図である。
【図２】ＩＰマルチキャストが導入されているネットワークノードのプロトコルスタックアーキテクチャを示す概略図である。
【図３Ａ】ＭＢＭＳサービス開始の手順を示す時系列図である。
【図３Ｂ】どのｅＮＢにＭＢＭＳセッション開始メッセージが送信されるべきかを説明するための概略図である。
【図３Ｃ】どのｅＮＢにＭＢＭＳセッション開始メッセージが送信されるべきかを説明するための概略図である。
【図４】本発明によるアクセスゲートウェイを示す構成図である。
【図５Ａ】アクセスゲートウェイによってＭＢＭＳセッション開始メッセージを送信するプロセスを示す流れ図である。
【図５Ｂ】アクセスゲートウェイによるパケットに関するプロセスを示す流れ図である。
【図６】本発明による基地局を示す構成図である。
【図７】ＭＢＭＳセッション開始メッセージを受信した後の基地局のプロセスを示す流れ図である。
【図８】ＩＰマルチキャストパケットを受信した後の基地局のプロセスを示す流れ図である。
【図９】本発明を詳細に説明するためのネットワーク接続および計画の例示のシナリオを示す概略図である。
【発明を実施するための形態】
【００２２】
下記で本発明の実施形態が図面を参照して説明される。実施形態は、本発明を限定するのではなく解明の目的のために単に提供されていることに留意されたい。本明細書で提供される様々な数値は、本発明を限定するものではなく、要望に応じて当業者によって変更されることができる。
【００２３】
図２は、ＩＰマルチキャストが導入されているネットワークノードのプロトコルスタックアーキテクチャを示す概略図である。
【００２４】
ユーザプレーン上では、ＩＰマルチキャストが基地局（ｅＮＢ）に導入されるべきであるので、ＩＰマルチキャストはＳ１インターフェースに関するユーザプレーンのデータのベアラプロトコルとして働くことができる。したがって、各ノードのプロトコルスタックは図２のように示される。ブロードキャスト／マルチキャストサービスセンタ（ＢＭ−ＳＣ）は、３ＧＰＰ  Ｒｅ１６のＢＭ−ＳＣと同じ機能を有する。アクセスゲートウェイ（ａＧＷ）はＧｉインターフェースを介してＢＭ−ＳＣに接続される。
【００２５】
ＭＢＭＳサービスの全体の転送はＩＰマルチキャストパッケージングの２つの層を必要とする。第１の層は、アプリケーション層に関し、ＢＭ−ＳＣ、ａＧＷおよびＵＥ側で識別される。第２の層はＳ１インターフェースでのトランスポート層に関し、プロトコルアーキテクチャが図２のハッチング部によって示される。ＩＰマルチキャストプロトコル層の下には、図２でトランスポートネットワーク層（ＴＮＬ）として全体的に示される他のトランスポート層プロトコルがある。本発明では、これらのトランスポート層プロトコルのプロトコルスタックに関する特定の制限はなく、既存の仕様書でのトランスポートネットワーク層プロトコルスタックが継承されることができる。
【００２６】
ＩＰマルチキャストパケットを受信した後に標準的なＩＰマルチキャストルータは、さらなるプロセスを行うことなく受信したＩＰマルチキャストパケットをＩＰマルチキャストアドレスに転送する。しかし、ＩＰマルチキャストがＥＭＢＭＳに導入されるとき、ＰＤＣＰ（パケットデータコンバージェンスプロトコル）がａＧＷの第１の層内に実装されるので、ＰＤＣＰパケットに基づいてａＧＷの第２の層でＩＰマルチキャストに対する再パッケージングを実行することが必要である。したがって、ＩＰマルチキャストの伝送路では、ａＧＷはもはや標準的なＩＰマルチキャストルータではなく、ａＧＷは、受信したＩＰマルチキャストパケットからＩＰマルチキャストアドレスを解析し、次いでＩＰマルチキャストアドレスを使用して第２の層でＩＰマルチキャストに対するパッケージングを実行しなければならない。その後、ＩＰマルチキャストパケットは、ルーティングを用いてＩＰマルチキャストパケットを必要とするすべてのｅＮＢに配信される。異なるサービスの場合、ａＧＷは様々なｅＮＢにデータを配信する必要がありうる。これは、本発明に関係のない、詳細説明を省略されるＩＰマルチキャストグループ管理プロトコルおよびルーティング表によって保証される。
【００２７】
図３ＡはＭＢＭＳサービス開始の手順を示す時系列図である。
【００２８】
図３Ａに示されるように、制御プレーン上ではＭＢＭＳサービスの開始が、ＭＢＭＳセッション開始を用いてアップストリームノードによってダウンストリームノードに通知される。
【００２９】
ＢＭ−ＳＣからＭＢＭＳセッション開始メッセージを受信した後にａＧＷは、再生としてＭＢＭＳセッション開始応答メッセージをＢＭ−ＳＣに返信する。次いでａＧＷは、どの１つまたは複数のｅＮＢが、ＭＢＭＳセッション開始メッセージを得るためにそれに接続したかを判断する。本明細書ではＥＭＢＭＳは、ＭＢＭＳの原理、つまり事前定義された地理的領域（その領域はサービス領域ＳＡと呼ばれる）内のユーザにサービスを提供するように従う。様々なサービスが様々なＳＡを有することができる。これは、オペレータがネットワーク計画を作成するとき、１つの同じ地理的領域が様々なレベルの複数のセルによってカバーされることができるためである。
【００３０】
本発明では、ｅＮＢがＭＢＭＳサービスのＳＡに属するセルを少なくとも含む場合、このｅＮＢはこのサービスに関するＭＢＭＳセッション開始メッセージを受信する必要がある。
【００３１】
例えば、図３Ｂは、どのｅＮＢにＭＢＭＳサービス１に関するＭＢＭＳセッション開始が送信されるべきかを説明するための概略図である。ｅＮＢ１１の場合、ｅＮＢ１１は、セル１だけがＳＡ１に属し、セル２がＳＡ１に属さないが、ｅＮＢ１１はＭＢＭＳセッション開始メッセージを受信しなければならない。ｅＮＢ１２の場合、セル３およびセル４の両方がＳＡ１に属しており、ｅＮＢ１２はＭＢＭＳセッション開始メッセージを受信すべきである。しかし、ＳＡ１に属さないセル５を管理するｅＮＢ１３の場合、ｅＮＢ１３はＭＢＭＳセッション開始メッセージを受信する必要がない。
【００３２】
これは、ａＧＷがＳＡとｅＮＢとの間のマッピング関係（表１参照）を保持しなければならないことも意味する。ａＧＷは、様々な方法でＳＡとｅＮＢとの間のマッピング関係を得ることができる。例えば、オペレータは、セルに対するＳＡのマッピング表およびＯＭＣ（動作、管理、制御）装置で各ｅＮＢによって管理されるセルについてのマッピング表を維持することができる。次いでＳＡとｅＮＢとの間のマッピング関係は、これらの２つのマッピング表から推測されることができ、ａＧＷの初期化での静的構成を用いてａＧＷに通知される。ＭＢＭＳサービスに関するセッションの開始時にＯＭＣ装置はまた、これらの２つのマッピング表からこのＭＢＭＳサービスに対するＳＡとｅＮＢとの間のマッピング関係を推測し、次いでこの関係をａＧＷに通知する。しかし、本発明ではａＧＷが上記のマッピング関係を得る方法は限定されない。
【００３３】
例えば、図３Ｂに示される状態では、ａＧＷは下記のマッピング関係（表１）を保持することができる。
【表１】
2010502055.tif 000003
【００３４】
ＭＢＭＳセッション開始メッセージ内でａＧＷは、ｅＮＢにＳＡを通知すべきである。ｅＮＢがＳＡとセルとの間のマッピング関係（表２参照）を保持するので、ｅＮＢは、サービスが開始されるまたはサービスがそれによって管理されるセルの無線インターフェース上で進行中であるという状態情報を送信することができる。マルチキャストサービスの場合、この種の情報は、通知手順をトリガーし、無線インターフェース上で計算手順または投票（ｖｏｔｉｎｇ）手順をさらにトリガーすることができる。これらの手順は、ネットワークによってまたはユーザ装置（ＵＥ）によって自発的にトリガーされることができる。これらの手順によってｅＮＢは、セルが関心のあるユーザをホストするか否かを判断し、このセル内でこのサービスのために無線ベアラ（ＲＢ）を確立することが必要であるかどうかをさらに判断することができる。本発明ではｅＮＢ自体が、サービスが開始されるまたはサービスが進行中であるという状態情報がｅＮＢの実装形態に応じて送信されるべきである状態を決定する。ｅＮＢは、所望の機能を実現するためにこの種の情報を柔軟に使用することができる。
【００３５】
例えば、図３Ｂに示される状態ではｅＮＢ１１−ｅＮＢ１３は下記のマッピング関係（表２）を保持することができる。
【表２】
2010502055.tif 000004
【００３６】
既存の解決策は、１つまたは複数の関心のあるＵＥをホストするＴＡ内に含まれる１つまたは複数のｅＮＢにＭＢＭＳセッション開始メッセージを送信することを提案する。しかし、サービス領域に含まれるがいかなる関心のあるＵＥをホストしない１つまたは複数のｅＮＢも、ＭＢＭＳセッション開始メッセージを受信すべきである。
【００３７】
具体的には図３Ｃを参照すると、共にＭＢＭＳマルチキャストサービスに関心のあるアイドル状態のＵＥ１および接続状態のＵＥ２が、それぞれセル１およびセル５内に存在する。ＴＡ２内に含まれるセル３およびセル４内にはこのサービスに関心のあるＵＥがない。セル１はセル２およびセル３に隣接している。このＭＢＭＳマルチキャストサービスは専用キャリアによってサービスデータを送信する。図３Ｃに示される５つのセルの中でセル２は、それに構成された専用キャリアを有しない。従来技術によれば、ｅＮＢ１１、ｅＮＢ１２およびｅＮＢ１３のすべてがＳＡ内にあるが、ｅＮＢ１１およびｅＮＢ１３だけがＭＢＭＳセッション開始メッセージを受信することができる。したがって、ｅＮＢ１２は、セル３およびセル４の無線インターフェース上でいかなるＭＢＭＳ情報も送信することができない。ＵＥ１がセル１から離脱するとき、セル３およびセル４の専用キャリアに関する情報がないので、ＵＥ１は、セルの再選択でそれに構成される専用キャリアを有しないセル２を選択することになりうる。しかし、サービス受信の継続性を保証するためにＵＥ１はセルの再選択でセル３を選択することが望ましい。したがって、本発明によれば、ｅＮＢ１２は、ＳＡ内のすべてのセルの無線インターフェース上でＵＥによって使用されるためにＭＢＭＳ情報を送信する能力があるように実際の動作中にＭＢＭＳセッション開始メッセージを受信すべきである。本明細書では例示の例だけが提供され、ネットワークは限定されない。例えば、ｅＮＢが対応する機能を実現するためにＭＢＭＳ情報を使用する方法は限定されない。
【００３８】
ｅＮＢが３ＧＰＰ  Ｒｅ１６の機構に従ってアイドル状態のＵＥに関する情報を保持しないので、ａＧＷは、ＭＢＭＳセッション開始メッセージを用いてｅＮＢにＭＢＭＳサービスに加入しているアイドル状態の１つまたは複数のＵＥをホストする１つまたは複数のＴＡのリストを送信しなければならない。この情報に基づいてｅＮＢは、通知手順がトリガーされるべきであるセルのグループをさらに絞り込むことができる。
【００３９】
３ＧＰＰは、専用キャリアを用いてＥＭＢＭＳサービスを送信する可能性を定義している。専用キャリアは、ＭＢＭＳサービスによって限定的に使用されることができる、またはユニキャストサービスと共用されることができる。オペレータがネットワーク内でＥＭＢＭＳのための専用キャリアを構成している場合、ユーザは、サービスを受信するために適切なセルを選択することができるように無線インターフェース上でこの情報を把握すべきである。したがって、ａＧＷは、ＭＢＭＳセッション開始メッセージ内に専用キャリアに関する情報を含むべきである。
【００４０】
したがって、ＭＢＭＳセッション開始メッセージは下記の情報を含むことができる。
１）サービスＩＤ
２）サービスの種類（ブロードキャストまたはマルチキャスト）
３）サービス領域
４）サービスに加入しているアイドル状態の１つまたは複数のＵＥをホストする１つまたは複数のＴＡのリスト
５）専用キャリアのＩＤ（任意選択であり、ＭＢＭＳサービスが専用キャリアによってサービスデータを送信するように構成されている場合に含まれる）。
【００４１】
ａＧＷからＭＢＭＳセッション開始メッセージを受信した後にｅＮＢは、返信としてＭＢＭＳセッション開始応答メッセージをａＧＷに送信する。
【００４２】
サービスに加入しているアイドル状態の１つまたは複数のＵＥをホストする１つまたは複数のＴＡのリストが変更されるとき、ａＧＷは、ＭＢＭＳセッション更新メッセージを用いてｅＮＢにこれを通知する。ＭＢＭＳセッション更新メッセージは、リストの変更に関する情報を搬送する。ＭＢＭＳセッション更新メッセージを送信するための原理は、ＭＢＭＳセッション開始メッセージを送信する、つまりＳＡ内のすべてのｅＮＢにＭＢＭＳセッション開始メッセージを送信するための原理と同じであってよい、またはそれらが異なっていてよく、例えば、ＭＢＭＳセッション更新メッセージが変更している１つまたは複数のＴＡ内に含まれるｅＮＢだけに送信されることができる。
【００４３】
ａＧＷからＭＢＭＳセッション更新メッセージを受信した後にｅＮＢは、再生としてＭＢＭＳセッション更新応答メッセージをａＧＷに送信する。
【００４４】
図４は、本発明によるアクセスゲートウェイを示す構成図である。
【００４５】
アクセスゲートウェイａＧＷ１０００は、受信／応答手段１００１、決定ユニット１１００、ＩＰマルチキャストパケット処理ユニット１００２、ＰＤＣＰパケット処理ユニット１００３、トランスポートプロトコル処理ユニット１００４、送信手段１００５および格納ユニット１００６を備える。ａＧＷ１０００がルーティングの機能を有するので、ａＧＷ１０００が他の装置に接続される各物理ポートにトランスポートプロトコル処理ユニット１００４および送信手段１００５がある。
【００４６】
受信／応答手段１００１は、ＢＭ−ＳＣからＭＢＭＳセッション開始メッセージを受信し、ＭＢＭＳセッション開始応答メッセージをＢＭ−ＳＣに返信するように構成されている。さらに、受信／応答手段１００１は、Ｇｉインターフェースを介してＢＭ−ＳＣからデータを受信し、受信したデータをＩＰマルチキャストパケットに戻すように変換し、次いでＩＰマルチキャストパケットがＩＰマルチキャストパケット処理ユニット１００２に送信されるように構成される。
【００４７】
決定ユニット１１００は、受信／応答手段１００１がＭＢＭＳサービスに対するＭＢＭＳセッション開始メッセージを受信するとき、格納ユニット１００６内に格納されたＳＡとｅＮＢとの間のマッピング関係に基づいてＭＢＭＳサービスに関連した１つまたは複数のｅＮＢを決定するように構成されている。
【００４８】
受信手段１００１からＩＰマルチキャストパケットを受信した後にＩＰマルチキャストパケット処理ユニット１００２は、ＩＰマルチキャストアドレスを解析し、次いでＩＰマルチキャストパケットをＰＤＣＰパケット処理ユニット１００３に送信する。
【００４９】
ＰＤＣＰパケット処理ユニット１００３は、受信したデータをＰＤＣＰパケットにパッケージングし、次いでＰＤＣＰパケットがＩＰマルチキャスト処理ユニット１００２に返信されるように構成されている。
【００５０】
格納ユニット１００６内に格納されたルーティング表を調べることによってＩＰマルチキャストパケット処理ユニット１００２は、どの１つまたは複数のトランスポートプロトコル処理ユニット１００４にＩＰマルチキャストパケットが転送されるべきかを把握し、次いでＩＰマルチキャストパケットが、Ｓ１インターフェースを介して送信手段１０５を用いてＭＢＭＳサービスデータを受信する必要がある１つまたは複数のｅＮＢに送信される。
【００５１】
さらに送信手段１００５は、決定ユニット１１００からの命令に基づいて１つまたは複数のｅＮＢにＭＢＭＳセッション開始メッセージを送信する。
【００５２】
次に、本発明によるアクセスゲートウェイの動作が図５を参照して詳細に説明される。
【００５３】
図５Ａは、本発明によるアクセスゲートウェイによってＭＢＭＳセッション開始メッセージを送信するプロセスを示す流れ図である。
【００５４】
まず、ステップＳ３００では本発明によるアクセスゲートウェイによってＭＢＭＳセッション開始メッセージを送信するプロセスが開始される。ステップＳ３０２として、ＭＢＭＳサービスに対するＭＢＭＳセッション開始メッセージがＢＭ−ＳＣから受信される。次いでステップＳ３０４では、ＭＢＭＳセッション応答メッセージがＢＭ−ＳＣに返信される。次にステップＳ３０６では、ＭＢＭＳサービスに関連した１つまたは複数のｅＮＢが、各ＭＢＭＳのＳＡと各ｅＮＢとの間の格納されたマッピング関係（表１参照）に基づいて決定される。ステップＳ３０８として、ＭＢＭＳセッション開始メッセージが１つまたは複数の決定されたｅＮＢに送信される。ステップＳ３１０では、アクセスゲートウェイによってＭＢＭＳセッション開始メッセージを送信するプロセスが終了される。
【００５５】
図５Ｂは、アクセスゲートウェイによるパケットに関するプロセスを示す流れ図である。
【００５６】
まずステップＳ４００では、本発明によるａＧＷによるパケットに関するプロセスが開始される。ステップＳ４０２ではａＧＷ１０００は、受信手段１００１を用いてＧｉインターフェースを介してＢＭ−ＳＣからサービスデータを受信し、受信したデータをＩＰマルチキャストパケットに戻すように変換する。次いでステップＳ４０４では、ＩＰマルチキャストアドレスがＩＰマルチキャストパケット処理ユニット１００２によって解析される（本明細書では、ａＧＷによって解析されるＩＰマルチキャストアドレスがＩＰ  Ａであると仮定される）。次いでステップＳ４０８ではＰＤＣＰパケット処理ユニット１００３は、無線インターフェース上の伝送の効率を保証するようにＰＤＣＰプロトコル仕様書に基づいてＩＰマルチキャストパケットにＩＰヘッダ圧縮を実行する。ステップＳ４１０ではＩＰマルチキャストパケット処理ユニット１００２は、ＩＰヘッダがＩＰアドレス＝ＩＰ  Ａを有してＰＤＣＰパケットにトランスポート層でＩＰマルチキャストパッケージングを実行する。最後にステップＳ４１２ではＩＰマルチキャストパケットが、トランスポートプロトコル処理ユニット１００４および送信手段１００５を用いてＳ１インターフェースを介して物理的接続により１つまたは複数のｅＮＢに送信される。
【００５７】
ＩＰマルチキャストがＳ１インターフェースに導入された後、Ｓ１インターフェース上でのＭＢＭＳサービスデータの配信が簡略化される。ＩＰマルチキャストのデータ配信機構に基づいてａＧＷは、パッケージングされたＩＰマルチキャストパケットをＩＰマルチキャストアドレスに配信する。したがって、このアドレスによって識別されるＩＰマルチキャストグループに加入するすべてのｅＮＢがＩＰマルチキャストパケットを受信することになる。
【００５８】
図６は、本発明による基地局を示す構成図である。
【００５９】
ｅＮＢ２０００は、Ｓ１インターフェースメッセージ／データ受信手段２００１、ｅＮＢコントローラ２１００、ＩＰマルチキャストパケット処理ユニット２００２、通知手順処理ユニット２００３（セルあたり１つのユニット）、ＲＢ割当ユニット２００４（セルあたり１つのユニット）、状態情報集約ユニット２００５（セルあたり１つのモジュール）、ＩＰマルチキャストグループ処理ユニット２００６、無線インターフェースプロトコル処理ユニット２００７（セルあたり１つのユニット）、送信手段２００８および格納ユニット２００９を備える。
【００６０】
Ｓ１インターフェースメッセージ／データ受信手段２００１は、Ｓ１インターフェースを介してａＧＷからメッセージおよびサービスデータを受信し、受信したメッセージおよびサービスデータをｅＮＢコントローラ２１００に送信するように構成されている。ａＧＷからＭＢＭＳセッション開始メッセージまたはＭＢＭＳセッション更新メッセージを受信した後、Ｓ１インターフェースメッセージ／データ受信手段２００１はＭＢＭＳセッション応答メッセージをａＧＷに返信する。
【００６１】
ｅＮＢコントローラ２１００は、通知手順処理ユニット２００３、ＲＢ割当ユニット２００４および状態情報集約ユニット２００５の対応するプロセスをトリガーすることが必要か否かを判断し、受信したサービスデータをＩＰマルチキャストパケット処理ユニット２００２に送信する。
【００６２】
通知手順処理ユニット２００３は、無線インターフェース上で通知手順を開始し、通知手順の結果をｅＮＢコントローラ２１００に返信するように構成されている。
【００６３】
ＲＢ割当ユニット２００４は、ｅＮＢコントローラ２１００からの命令に基づいてＭＢＭＳサービスにＲＢを割り当て、ＲＢ構成情報を状態情報集約ユニット２００５に通知するように構成されている。ＲＢ割当ユニット２００４は、ＩＰマルチキャストグループ処理ユニット２００６の対応するプロセスをトリガーすることが必要かどうかを判断するようにさらに構成されている。
【００６４】
状態情報集約ユニット２００５は、ｅＮＢコントローラ２１００からの命令に基づいて送信手段２００８によって無線インターフェース上で送信されるべきである状態情報およびＲＢ構成情報を集約する。
【００６５】
ＩＰマルチキャストグループ処理ユニット２００６は、ａＧＷに対してｅＮＢによって開始されるＩＰマルチキャストグループの加入または離脱の手順をトリガーするように構成されている。
【００６６】
ＩＰマルチキャストパケット処理ユニット２００２は、ｅＮＢコントローラ２１００からＩＰマルチキャストパケットを受信するように構成されている。ＩＰマルチキャストパケットを解析した後、ＩＰマルチキャストパケット処理ユニット２００２はデータを無線インターフェースプロトコル処理ユニット２００７に送信する。
【００６７】
無線インターフェースプロトコル処理ユニット２００７は、受信したデータにＲＬＣ（無線リンク制御）層プロトコル、ＭＡＣ（メディアアクセス制御）層プロトコルおよび物理層プロトコルの処理を実行し、次いで、送信手段２００８を用いて無線インターフェースを介してユーザにサービスデータを送信するように構成されている。
【００６８】
格納ユニット２００９内に格納されたＳＡとセルとの間のマッピング関係を調べることによってｅＮＢコントローラ２１００は、通知手順処理ユニット２００３、ＲＢ割当ユニット２００４および状態情報集約ユニット２００５の対応するプロセスがトリガーされるべきであるセルを決定することができる。
【００６９】
格納ユニット２００９に格納され、サービスデータを受信する必要があるセルのリストを調べることによってＩＰマルチキャストパケット処理ユニット２００２は、１つまたは複数の無線インターフェースプロトコル処理ユニット２００７のＩＰマルチキャストパケットが送信されるべきである１つまたは複数のセルを決定することができる。
【００７０】
図７は、ＭＢＭＳセッション開始メッセージを受信した後の基地局のプロセスを示す流れ図である。
【００７１】
まずステップＳ６００では、ＭＢＭＳセッション開始メッセージを受信した後の本発明によるｅＮＢのプロセスが明記され、Ｓ１インターフェースメッセージ／データ受信手段２００１は、ＭＢＭＳセッション開始メッセージを受信し、返信としてＭＢＭＳセッション応答メッセージをａＧＷに返信する。ステップＳ６０２ではｅＮＢコントローラ２１００は、Ｓ１インターフェースメッセージ／データ受信手段２００１によって受信されるＭＢＭＳセッション開始メッセージに基づいてｅＮＢによって管理されるセルのうちの１つから開始して現在のセル内で通知手順を開始することが必要かどうかを判断する。
【００７２】
このセル内で通知手順を開始する必要がない（ステップＳ６０２で「いいえ」）場合、ステップＳ６０４ではｅＮＢコントローラ２１００は、サービスデータを搬送するＲＢをこのセルに割り当てることが必要かどうかを判断する。いいえ（ステップＳ６０４で「いいえ」）の場合、ステップＳ６０５ではｅＮＢコントローラ２１００は、サービス状態情報を送信する（サービスが開始されるまたは進行中である）ことが必要かどうかを判断する。この種の情報を送信する必要がある（ステップＳ６０５で「はい」）の場合、ステップＳ６０６ではｅＮＢコントローラ２１００は、状態情報を集約した後に送信手段２００８を用いて無線インターフェース上で状態情報を送信するように状態情報集約ユニット２００５に命令することを状態情報集約ユニット２００５に通知する。この種の情報を送信する必要がない（ステップＳ６０５で「いいえ」）場合、ステップＳ６１２ではｅＮＢコントローラ２１００は、ｅＮＢによって管理されるすべてのセルが処理されているかどうかを判断する。そうである場合、この流れは終了し、またはそうでない場合、ｅＮＢコントローラ２１００は、ステップＳ６１４で次のセルに進み、次いでステップＳ６０２に戻る。
【００７３】
このセル内で通知手順を開始することが必要である（ステップＳ６０２で「はい」）場合、ステップＳ６０３ではｅＮＢコントローラが、このセル内で通知手順を開始するように通知手順処理ユニット２００３に命令することを通知手順処理ユニット２００３に通知する。通知手順が完了された後、通知手順処理ユニット２００３が通知手順の結果をｅＮＢコントローラ２１００に返信する。通知手順の結果に基づいてｅＮＢコントローラ２１００が、ステップＳ６０４でＲＢを現在のセルに割り当てることが必要か否かを判断する。ＲＢを割り当てることが必要である（ステップＳ６０４で「はい」）場合、ステップＳ６０７ではｅＮＢコントローラ２１００が、このセル内で現在のサービスのためにＲＢを割り当てるようにＲＢ割当ユニット２００４に命令する。次いでステップＳ６０８では、ＲＢ割当ユニット２００４が、状態情報集約ユニット２００５にＲＢ構成情報を通知し、またユーザに送信手段２００８を用いてＲＢ構成情報を通知する。同時に、ステップＳ６０９ではＲＢ割当ユニット２００４が、ＩＰマルチキャストグループ処理ユニット２００６による判断、つまりｅＮＢが現在のサービスのＩＰマルチキャストグループに加入しているか否かを判断することをトリガーする。ｅＮＢがグループに加入している（ステップＳ６０９で「はい」）場合、流れはステップＳ６１２に進む。ｅＮＢがＩＰマルチキャストグループに加入していない（ステップＳ６０９で「いいえ」）場合、ステップＳ６１０ではＩＰマルチキャストグループ処理ユニット２００６が、ＩＰマルチキャストグループに加入することをａＧＷに申し込み、次いで流れはステップＳ６１２に進む。
【００７４】
図８は、ＩＰマルチキャストパケットを受信した後の基地局のプロセスを示す流れ図である。
【００７５】
まずステップＳ８００では、ＩＰマルチキャストパケットを受信した後に本発明によるｅＮＢのプロセスが開始される。ステップＳ８０２ではＩＰマルチキャストパケット処理ユニット２００２が、ｅＮＢコントローラ２１００からＩＰマルチキャストパケットを受信し、次いでＩＰマルチキャストパケットの内容を解析する。ステップＳ８０４では、格納ユニット２００９内に格納され、サービスデータを受信する必要があるセルのリストを調べることによってＩＰマルチキャストパケット処理ユニット２００２が、１つまたは複数の無線インターフェースプロトコル処理ユニット２００７のＩＰマルチキャストパケットが送信されるべきである１つまたは複数のセルを決定する。次いでステップＳ８０６では、１つまたは複数の無線インターフェースプロトコル処理ユニット２００７が、ＩＰマルチキャストパケット処理ユニット２００２から受信したデータにＲＬＣ層プロトコル、ＭＡＣ層プロトコルおよび物理層プロトコルの処理を実行する。ステップＳ８０８では処理されたデータが、送信手段２００８を用いて無線インターフェースを介してユーザに送信される。
【００７６】
図９は、本発明を詳細に説明するためのネットワーク接続および計画の例示のシナリオを示す概略図である。
【００７７】
本明細書では、どのようにａＧＷがＭＢＭＳセッション開始メッセージを送信するか、どのようにｅＮＢが、ＭＢＭＳセッション開始メッセージを受信するときに処理を実行するかに関する説明が提供される。限定的解析を行うために典型的なシナリオが、図９に示されるように仮定される。話を簡単にするために、ただ１つのａＧＷが、一般性を失うことなくサービスデータの伝送に関与するシナリオが提供される。
【００７８】
一般性を失うことなく、このシナリオでは下記のことが仮定される：
１）セル１−５のすべてがＭＢＭＳサービスＡのＳＡに属する
２）セル１およびセル２はＴＡ１に属し、セル３およびセル４はＴＡ２に属し、セル５はＴＡ３に属する
３）セル１だけが、ａＧＷがＭＢＭＳセッション開始メッセージをｅＮＢに送信する前、接続状態にあり、ＭＢＭＳサービスＡに関心のあるユーザＵＥ０１をホストする
４）アイドル状態にあり、ＭＢＭＳサービスＡに関心のあるユーザＵＥ０２が、ａＧＷがＭＢＭＳセッション開始メッセージをｅＮＢに送信する前にセル４内に存在する。
【００７９】
上記の仮定に基づいてａＧＷは、ｅＮＢ１１、ｅＮＢ１２およびｅＮＢ１３にＭＢＭＳセッション開始メッセージを送信する。ＭＢＭＳセッション開始メッセージは、「ＴＡ２」を示す「１つまたは複数のアイドル状態のユーザをホストする１つまたは複数のＴＡのリスト」についての情報を含む。オペレータがこのサービスのために専用キャリアを構成する場合、ＭＢＭＳセッション開始メッセージは専用キャリアのＩＤも含む。
【００８０】
図９に示されるｅＮＢ１１、ｅＮＢ１２およびｅＮＢ１３の３つのすべてが、サービスが、ＭＢＭＳセッション開始メッセージを受信した後に無線インターフェース上で開始されるという情報を送信する。ＭＢＭＳセッション開始メッセージが専用キャリアに関する情報を搬送する場合、ｅＮＢ１１、ｅＮＢ１２およびｅＮＢ１３は、無線インターフェース上でＭＢＭＳサービスによって使用されるために専用キャリアに関する情報を送信することになる。
【００８１】
具体的には図４〜図９を組み合わせて参照して、本発明の実施形態が詳細に説明される。ＭＢＭＳセッション開始メッセージを受信した後にｅＮＢ１１、ｅＮＢ１２およびｅＮＢ１３は、それらの各状態に応じて様々なプロセスを実行することができる。図９に示されるシナリオでは、ｅＮＢ１１、ｅＮＢ１２およびｅＮＢ１３のプロセスは下記の通りである。
【００８２】
ＭＢＭＳセッション開始メッセージを受信した後にｅＮＢ１１は、セル１が、接続状態であり、ＭＢＭＳサービスＡに関心のあるＵＥ０１をホストすることを検出し、したがってｅＮＢ１１は、セル１内で通知手順を開始する必要がないが、セル１にＲＢを割り当てることが必要であることを決定する。しかし、ｅＮＢ１１によって管理されるセル１およびセル２はＴＡ２に属しておらず、セル２内で接続状態にあり、ＭＢＭＳサービスＡに関心のあるＵＥがなく、それによって、ｅＮＢ１１は、セル２内で通知手順を開始する必要がなく、またＲＢを割り当てる必要がないことを決定するが、サービスの伝送が無線インターフェース上で開始されるという状態情報を送信する必要がある。ｅＮＢ１１は、セル１が、ＭＢＭＳセッション開始メッセージを受信する前、接続状態にあり、ＭＢＭＳサービスＡに関心のあるＵＥ１をホストすることを把握するので、ｅＮＢ１１は、既にＩＰマルチキャストグループのメンバでなければならない。これは、ＩＰマルチキャストグループ管理プロトコルによって保証され、本出願では省略される。
【００８３】
ＭＢＭＳセッション開始メッセージを受信した後、ｅＮＢ１２がそれによって管理されるセル３およびセル４がＴＡ２に属することを見いだすので、ｅＮＢ１２はセル３およびセル４の両方で通知手順を開始する。通知手順の結果は、セル４３だけが関心のあるＵＥ０２をホストすることを示す。ｅＮＢ１２は、セル４だけにＲＢを割り当て、サービスの伝送がセル３の無線インターフェース上で開始されるという状態情報を送信する。ｅＮＢ１２が、それがＩＰマルチキャストグループのメンバでないことを見いだす場合、ｅＮＢ１２はＩＰマルチキャストグループに加入することを求める要求をａＧＷに送信することになる。
【００８４】
ＭＢＭＳセッション開始メッセージを受信した後にｅＮＢ１３は、セル５内で通知手順を開始する必要がなく、またＲＢを割り当てる必要がないことを決定するが、サービスの伝送が開始されるという状態情報は、ｅＮＢ１３がそれによって管理されるセル５がＴＡ２に属していないことを見いだすので無線インターフェース上で送信されることができる。
【００８５】
ＭＢＭＳセッション更新メッセージを受信した後のｅＮＢのプロセスは、図７に示されるプロセスと同様である。サービスの進行中、アイドル状態のＵＥ０２がセル４からセル５に移動する場合、ａＧＷは、アイドル状態にある１つまたは複数の関心のあるＵＥをホストする１つまたは複数のＴＡのリストが変更されていることを見いだすことになる。ａＧＷは、ＭＢＭＳセッション更新メッセージを用いてサービス領域に属するｅＮＢ１１、ｅＮＢ１２およびｅＮＢ１３のすべてに変更されたリストを送信することができる。あるいはａＧＷは、ＭＢＭＳセッション更新メッセージを用いて影響を受けるｅＮＢ１３だけに変更されたリストを送信することができる。ＭＢＭＳセッション更新メッセージを受信した後、ｅＮＢ１３はセル５内で通知手順を開始する。通知手順の結果が、セル５が関心のあるＵＥ０２をホストすることを示す場合、ｅＮＢ１３はセル５にＲＢを割り当てる。ｅＮＢ１３が、それがＩＰマルチキャストグループのメンバでないことを見いだす場合、ｅＮＢ１３は、ａＧＷにＩＰマルチキャストグループに加入することを求める要求を行うことになる。
【００８６】
本発明は、ＩＰマルチキャストがその中に導入された後にＥＭＢＭＳネットワークアーキテクチャの各ネットワークノードに対して各プロトコルスタックアーキテクチャを提供しており、データパケットがａＧＷからｅＮＢに送信されるときに実行されるべきプロセスを定義している。
【００８７】
従来技術と比較して、ＭＢＭＳセッション開始のプロセスはより完全である。本発明では、ｅＮＢの機能的要求が完全に考慮され、十分な情報がメッセージで搬送され、ｅＮＢの機能的実装形態および流れ設計での便利さをもたらす。さらに本発明によれば、無線インターフェースの流れ設計でより自由度を提供することが可能である。
【００８８】
上記の実施形態は、本発明を限定するのではなく単に例証のために提供されることに留意されたい。本発明が上記実施形態を参照して詳細に説明されるが、変更形態または均等物がそれに対してなされることができることは当業者によって理解されるべきである。本発明の精神および範囲から逸脱することなく任意の変更形態または部分的な置換のすべてが、添付の「特許請求の範囲」によって定義される範囲に入る。
【図１】
2010502055.tif 000005
【図２】
2010502055.tif 000006
【図３Ａ】
2010502055.tif 000007
【図３Ｂ】
2010502055.tif 000008
【図３Ｃ】
2010502055.tif 000009
【図４】
2010502055.tif 000010
【図５Ａ】
2010502055.tif 000011
【図５Ｂ】
2010502055.tif 000012
【図６】
2010502055.tif 000013
【図７】
2010502055.tif 000014
【図８】
2010502055.tif 000015
【図９】
2010502055.tif 000016
【国際調査報告】
2010502055.tif 000017
2010502055.tif 000018
2010502055.tif 000019
2010502055.tif 000020
2010502055.tif 000021
2010502055.tif 000022